(57)【要約】【課題】  給水管を通してタブに給水される洗濯水が、ドラム内部に、直接、供給されるようにしたドラム洗濯機を提供すること。【解決手段】  本体と、洗濯水が満たされるように本体内に設けられたタブと、該タブ内に回転可能に設けられたドラムと、洗濯水をタブの内部に供給するための給水管と、洗濯水が給水管からドラムの内部に、直接、供給されるようにタブに設けられた給水案内装置と、を含むドラム洗濯機を提供する。これによれば、タブに給水される洗濯水がドラムの内部に、直接、給水されるため、ドラム内の洗濯物が洗濯水により迅速に濡れ、結果として洗濯物の洗濯時間が縮まる。【選択図】  図５
2005144152.tif 000002
【特許請求の範囲】
【請求項１】
本体と、
洗濯水が満たされるように前記本体内に設けられたタブと、
該タブ内に回転可能に設けられたドラムと、
洗濯水を前記タブの内部に供給するための給水管と、
洗濯水が前記給水管から前記ドラムの内部に直接供給されるように前記タブに設けられた給水案内装置と、を含むことを特徴とするドラム洗濯機。
【請求項２】
前記タブは、タブ開口部が形成された前面板を備え、
該前面板には前記給水案内装置が設けられることを特徴とする、請求項１に記載のドラム洗濯機。
【請求項３】
前記タブ開口部側に対応するドラムの前面にはドラム開口部が設けられ、
前記給水案内装置は、洗濯水が前記ドラム開口部を通して前記ドラムの内部に供給されるように案内することを特徴とする、請求項２に記載のドラム洗濯機。
【請求項４】
前記給水案内装置は、
前記給水管が結合されるように前記前面板に形成された給水穴と、
該給水穴を通して前記タブの内部に流入した洗濯水を前記ドラム内部に案内する給水案内部材と、を含むことを特徴とする、請求項３に記載のドラム洗濯機。
【請求項５】
前記給水穴と給水案内部材は、洗濯水の自由落下を可能にするために前記タブ開口部上部側に設けられたことを特徴とする、請求項４に記載のドラム洗濯機。
【請求項６】
前記給水案内部材は、
前記給水穴に流入した洗濯水を前記タブの外側に案内するように前記前面板の内面に作られた内側部材と、
前記内側部材により前記タブ外側に案内された洗濯水を前記ドラムの内側に案内するように前記前面板の外面に設けられた外側部材と、を含むことを特徴とする、請求項５に記載のドラム洗濯機。
【請求項７】
前記内側部材は、前記給水穴を覆うように設けられ、前記タブの外側に向けて下向きに傾斜して設けられた第１傾斜部を備え、
前記外側部材は、前記タブの内側に向けて下向きに傾斜して設けられた第２傾斜部を備え、
前記第１傾斜部は、前記第２傾斜部の上側に位置するように設けられたことを特徴とする、請求項６に記載のドラム洗濯機。
【請求項８】
前記タブ開口部に対応する前記本体の前面には、本体開口部と、該本体開口部を開閉するためのドアと、を備え、
該ドアは、前記本体開口部に対応する前記本体前面に支持されるドアフレームと、前記タブ内部を目視できるように前記フレームから前記タブ開口部の内側に所定長さをもって延長されたドアガラスと、を備え、
前記第２傾斜部は、洗濯水の一部を前記ドアガラス側に給水するように設けられたことを特徴とする、請求項７に記載のドラム洗濯機。
【請求項９】
前記第２傾斜部には、洗濯水が前記ドアガラスに給水されるように先端が前記タブの内側に短く延長された第１案内部と、洗濯水が前記ドアガラス内側の前記ドラム内部に給水されるように先端が前記タブの内側に向けて前記第１案内部よりも長く延長された第２案内部と、が設けられたことを特徴とする、請求項８に記載のドラム洗濯機。
【請求項１０】
前記第１案内部と第２案内部はそれぞれ複数個からなり、該第１及び第２案内部は交互に配列されることを特徴とする、請求項９に記載のドラム洗濯機。
【請求項１１】
洗濯水の給水方向が一定に保持されるように、それぞれの第１及び第２案内部には谷部が形成され、隣接する第１及び第２案内部の間にはそれぞれ山部が形成されたことを特徴とする、請求項１０に記載のドラム洗濯機。
【請求項１２】
前記本体開口部と前記タブ開口部との間にはこれらを連結して水漏れを防ぐ蛇腹管が設けられ、前記給水穴は前記蛇腹管の外部に設けられ、前記外側部材は前記蛇腹管の内部に設けられたことを特徴とする、請求項６に記載のドラム洗濯機。
【請求項１３】
本体と、
洗濯水が満たされるように前記本体内に設けられたタブと、
該タブ内に回転可能に設けられたドラムと、
該ドラムの前面に形成されたドラム開口部と、
洗濯水を前記タブの内部に供給するための給水管と、
前記ドラム開口部を通して洗濯水が前記給水管から前記ドラムの内部に案内するように前記タブに設けられた給水案内装置と、を含むことを特徴とするドラム洗濯機。
【請求項１４】
前記タブは、タブ開口部が形成された前面板を備え、
該前面板には前記給水案内装置が設けられたことを特徴とする、請求項１３に記載のドラム洗濯機。
【請求項１５】
前記給水案内装置は、
前記給水管が結合されるように前記前面板に形成された給水穴と、
該給水穴を通して前記タブの内部に流入した洗濯水を前記ドラム内部に案内する給水案内部材と、を含むことを特徴とする、請求項１４に記載のドラム洗濯機。
【請求項１６】
前記給水穴と給水案内部材は、洗濯水の自由落下を可能にするために前記タブ開口部の上部側に設けられたことを特徴とする、請求項１５に記載のドラム洗濯機。
【請求項１７】
前記給水案内部材は、
前記給水穴に流入した洗濯水を前記タブの外側に案内するように前記前面板の内面に作られた内側部材と、
前記内側部材により前記タブ外側に案内された洗濯水を前記ドラムの内側に案内するように前記前面板の外面に設けられた外側部材と、を含むことを特徴とする、請求項１６に記載のドラム洗濯機。
【請求項１８】
前記内側部材は、前記給水穴を覆うように設けられ、前記タブの外側に向けて下向きに傾斜して設けられた第１傾斜部を備え、
前記外側部材は、前記タブの内側に向けて下向きに傾斜して設けられた第２傾斜部を備え、
前記第１傾斜部は前記第２傾斜部の上側に位置するように設けられたことを特徴とする、請求項１７に記載のドラム洗濯機。
【請求項１９】
前記タブ開口部に対応する前記本体の前面には、本体開口部と、該本体開口部を開閉するためのドアと、を備え、
該ドアは、前記本体開口部に対応する前記本体の前面に支持されるドアフレームと、前記タブ内部を目視できるように前記フレームから前記タブ開口部の内側に所定長さをもって延長されたドアガラスと、を備え、
前記第２傾斜部は、洗濯水の一部を前記ドアガラス側に給水するように設けられたことを特徴とする、請求項１８に記載のドラム洗濯機。
【請求項２０】
前記第２傾斜部には、洗濯水が前記ドアガラスに給水されるように先端が前記タブの内側に短く延長された第１案内部と、洗濯水が前記ドアガラス内側の前記ドラム内部に給水されるように先端が前記タブの内側に向けて前記第１案内部よりも長く延長された第２案内部と、が設けられたことを特徴とする、請求項１９に記載のドラム洗濯機。
【請求項２１】
前記第１案内部と第２案内部はそれぞれ複数個からなり、該第１及び第２案内部は交互に配列されることを特徴とする、請求項２０に記載のドラム洗濯機。
【請求項２２】
洗濯水の給水方向が一定に保持されるように、それぞれの第１及び第２案内部には谷部が形成され、隣接する第１及び第２案内部の間には山部が形成されたことを特徴とする、請求項２１に記載のドラム洗濯機。
【請求項２３】
前記本体開口部と前記タブ開口部との間にはこれらを連結して水漏れを防ぐ蛇腹管が設けられ、前記給水穴は前記蛇腹管の外部に設けられ、前記外側部材は前記蛇腹管の内部に設けられたことを特徴とする、請求項１７に記載のドラム洗濯機。
【発明の詳細な説明】
【技術分野】
【０００１】
本発明は、ドラム洗濯機に関し、より詳細には、給水管を通してタブに供給される洗濯水がドラム内部に直接給水されるようにし、洗濯物がより迅速に洗濯水に濡れるようにしたドラム洗濯機に関する。
【背景技術】
【０００２】
一般に、ドラム洗濯機は、ドラムが回転するときに発生する洗濯水を用いてドラム内の洗濯物を洗濯する装置であって、外観をなす本体を備え、該本体の内部には洗濯水が満たされるようにタブが固定設置され、該タブの内部には回転可能にドラムが設置される。
【０００３】
ドラムを回転させるために本体の一側には駆動モーターが設置され、ドラムにはタブ内の洗濯水がドラムの内部へ流動し得るように多数の穴が開けられる。
【０００４】
また、本体の上部には、タブ内へ洗濯水を給水するための給水バルブと、連結ホースを通して給水バルブと連結された洗剤容器と、タブと洗剤容器とを連結させる給水管と、が配設される。
【０００５】
上記のように構成される従来のドラム洗濯機において、給水バルブの開閉時に連結ホースを通して洗剤容器に伝えられた洗濯水は、洗剤と共に前記給水管を通してタブ内へ供給される。
【０００６】
また、本体の前面には、洗濯物をドラム内部に投入するために形成された本体開口部と、左右回動しつつこの本体開口部を開閉するドアと、が設置される。
【０００７】
したがって、使用者がドラム内部に洗濯物を投入しドアを閉じた後に給水バルブを開くと、タブ内に洗剤と共に洗濯水が給水される。この状態で、ドラムを回転させると洗濯物及び洗濯水がドラムの底部が上部に持ち上げられて落下する動作が繰り返し行われつつ洗濯が遂行される。
【０００８】
一方、洗剤容器とタブとを連結する前記給水管は、通常、タブの上面に連結されるが、このような給水構造により、タブ内部に供給される洗濯水は、たいてい、ドラムの外面に沿ってタブ内部の下側から上側に徐々に満たされることになる。
【０００９】
したがって、給水バルブが開き、連結ホース、洗剤容器、給水管を順次に経由した洗濯水は、タブ内部の下側から上側に徐々に満たされ、所定量以上の給水がなされると、満たされた洗濯水はドラムに形成された穴を通してドラムの内部へ流動してドラム内の洗濯物を濡らすようになる。
【００１０】
しかしながら、このような給水構造を持つ従来のドラム洗濯機は、給水が始まると同時に洗濯物が洗濯水に濡れるのではなく、給水が始まって所定時間が経過してこそ、タブ内部の下側に溜まる洗濯水の水位が上がりつつドラム内の洗濯物が洗濯水に濡れるため、洗濯物が洗濯水に迅速に濡れることができず、洗濯物の洗濯時間が長くなる、という問題点を抱えていた。
【発明の開示】
【発明が解決しようとする課題】
【００１１】
本発明は、上記事情に鑑みて、給水構造を改善して洗濯物がより迅速に洗濯水に濡れるようにしたドラム洗濯機を提供することを目的とする。
【課題を解決するための手段】
【００１２】
上記の目的を達成すべく、本発明に従うドラム洗濯機は、本体と、洗濯水が満たされるように前記本体内に設けられたタブと、該タブ内に回転可能に設けられたドラムと、洗濯水を前記タブの内部に供給するための給水管と、洗濯水が前記給水管から前記ドラムの内部に直接供給されるように前記タブに設けられた給水案内装置と、を含むことを特徴とする。
【００１３】
また、本発明によるドラム洗濯機は、本体と、洗濯水が満たされるように前記本体内に設けられたタブと、該タブ内に回転可能に設けられたドラムと、該ドラムの前面に形成されたドラム開口部と、洗濯水を前記タブの内部に供給するための給水管と、前記ドラム開口部を通して洗濯水を前記給水管から前記ドラムの内部に案内するように前記タブに設けられた給水案内装置と、を含むことを特徴とする。
【００１４】
ここて、前記タブは、タブ開口部が形成された前面板を備え、該前面板には前記給水案内装置が設けられたことを特徴とする。
【００１５】
前記給水案内装置は、前記給水管が結合されるように前記前面板に形成された給水穴と、該給水穴を通して前記タブの内部に流入した洗濯水を前記ドラム内部に案内する給水案内部材と、を含むことを特徴とする。
【００１６】
また、前記給水穴と給水案内部材は、洗濯水の自由落下を可能にするために前記タブ開口部の上部側に設けられたことを特徴とする。
【００１７】
また、前記給水案内部材は、前記給水穴に流入した洗濯水を前記タブの外側に案内するように前記前面板の内面に作られた内側部材と、前記内側部材により前記タブの外側にガイドされた洗濯水を前記ドラムの内側に案内するように前記前面板の外面に設けられた外側部材と、を含むことを特徴とする。
【００１８】
また、前記内側部材は、前記給水穴を覆うように設けられ、前記タブ外側に向けて下向きに傾斜して設けられた第１傾斜部を備え、前記外側部材は、前記タブ内側に向けて下向きに傾斜して設けられた第２傾斜部を備え、前記第１傾斜部は前記第２傾斜部の上側に位置するように設けられたことを特徴とする。
【００１９】
また、前記タブ開口部に対応する前記本体の前面には、本体開口部と、該本体開口部を開閉するためのドアと、を備え、該ドアは、前記本体開口部に対応する前記本体の前面に支持されるドアフレームと、前記タブ内部を目視できるように前記フレームから前記タブ開口部の内側に所定長さをもって延長されたドアガラスと、を備え、前記第２傾斜部は、洗濯水の一部を前記ドアガラス側に給水するように設けられたことを特徴とする。
【００２０】
また、前記第２傾斜部には、洗濯水が前記ドアガラスに給水されるように先端が前記タブの内側に短く延長された第１案内部と、洗濯水が前記ドアガラス内側の前記ドラム内部に給水されるように先端が前記タブの内側に向けて前記第１案内部よりも長く延長された第２案内部と、が設けられたことを特徴とする。
【００２１】
また、前記第１案内部と第２案内部はそれぞれ複数個からなり、該第１及び第２案内部は交互に配列されることを特徴とする。
【００２２】
また、洗濯水の給水方向が一定に保持されるように、それぞれの第１及び第２案内部には谷部が形成され、隣接する第１及び第２案内部の間にはそれぞれ山部が形成されたことを特徴とする。
【００２３】
また、前記本体開口部と前記タブ開口部との間にはこれらを連結して水漏れを防ぐ蛇腹管が設けられ、前記給水穴は前記蛇腹管の外部に設けられ、前記外側部材は前記蛇腹管の内部に設けられたことを特徴とする。
【発明の効果】
【００２４】
本発明のドラム洗濯機によれば、タブの前面板に設けられた給水案内装置を通して給水管からタブ内部に供給される洗濯水がドラム内部に、直接、供給されるため、洗濯水の給水と同時にドラム内の洗濯物が、直接、洗濯水に濡れ、洗濯時間をより縮めることが可能になる。
【００２５】
また、本発明のドラム洗濯機に適用された給水案内装置は、ドラム内部に供給される洗濯水の一部がドアガラス側に案内され、洗濯時にドアガラスにつくバブルなどの異物が除去されるようにする。
【発明を実施するための最良の形態】
【００２６】
以下、本発明の好ましい実施形態について、添付図面を参照しつつ詳細に説明する。
【００２７】
本発明の一実施形態に従うドラム洗濯機は、図１及び図２に示すように、外観を形成する本体１０を含み、該本体１０の内部には洗濯水が満たされるタブ２０が設けられる。タブ２０は、上部及び下部がそれぞれ、懸架装置(図示せず)及び緩衝装置２１にて固定支持され、このタブ２０の内部には回転可能にドラム３０が設置される。
【００２８】
ドラム３０を回転させるために本体１０の一側には駆動モーター３１が設置され、ドラム３０には、タブ２０内部の洗濯水がドラム３０の内部へ流動されるように多数の穴３２が開けられる。
【００２９】
本体１０の上部には、タブ２０内部に洗濯水を給水するための給水バルブ４１と、洗剤が受容される洗剤容器４２と、タブ２０と洗剤容器４２を連結させる給水管４３が設けられ、給水バルブ４１と洗剤容器４２は、連結ホース４４を介して相互に連結される。ここで、給水バルブ４１が開き、連結ホース４４を介して洗剤容器４２に送られた洗濯水は、洗剤と共に給水管４３を通してタブ２０の内部に供給される。また、本体１０の下部には、タブ２０内の洗濯水を外部へ排水するためにタブ２０と連結された排水管４５及び排水モーター４６が設置される。
【００３０】
また、タブ２０の前面板２１には、洗濯物の投入及び引出のためにタブ開口部２２が形成され、このタブ開口部２２に対応する、本体１０の前面及びドラム３０の前面にはそれぞれ、本体開口部１１及びドラム開口部３３が形成される。また、本体１０の前面には本体開口部１１を開閉するドア５０が回動自在にヒンジ結合されるが、このドア５０は、ドア５０が閉じたときに本体開口部１１側の本体１０の前面に支持されるドアフレーム５１と、ドアフレーム５１の中央部に設けられ、ドア５０の閉じ状態にも外部からタブ２０の内部を目視できるようにタブ開口部２２の内側に所定の長さに延長されたドアガラス５２と、を含む。
【００３１】
また、本体開口部１１とタブ開口部２２との間には、ドラム洗濯機の動作時にタブ２０内の洗濯水がタブ２０の外部へ漏れるのを防止するための蛇腹管(bellows tube)５３が設置され、この蛇腹管５３により、ドア５０が閉じるとタブ２０の内部は密閉状態になる。
【００３２】
上記の構造を有する洗濯機を用いて洗濯を行う場合には、まず、ドラム３０の内部に洗濯物を投入し、ドア５０を閉じた後に給水バルブ４１を開く。こうすると、タブ２０の内部に洗剤と共に洗濯水が給水され、この状態でドラム３０を回転させると洗濯物及び洗濯水がドラム３０の低部から上部に持ち上げられて落下する動作が繰り返し行われつつ、洗濯がなされる。
【００３３】
一方、タブ２０には、給水管４３を通してタブ２０の内部に供給された洗濯水がドラム３０の内部に直接供給されるようにする給水案内装置６０が設けられる。この給水案内装置６０は、給水が始まると同時に、洗濯水が前記ドラム開口部３３を通してドラム３０内に直ぐに供給されるようにすることによって、ドラム３０内の洗濯物がより迅速に濡れるようにし、結果として洗濯物の洗濯時間を縮める構成であって、その詳細構造は、下記の通りである。
【００３４】
前記給水案内装置６０は、給水管４３が結合される給水穴６１と、給水穴６１を通してタブ２０の内部に供給された洗濯水が直接ドラム３０の内部に供給されるように設けられた給水案内部材７０と、を含み、これら給水穴６１と給水案内部材７０は、ポンプなどを使わずにも洗濯水が自由落下され、ドラム３０の内部に給水されるようにタブ開口部２２の上部側の前面板２１に設けられる。
【００３５】
図３及び図４に示すように、給水案内部材７０は、給水穴６１を通してタブ２０の内部に流入した洗濯水をタブ２０の外側に案内するように前面板２１の内面に設けられた内側部材８０と、内側部材８０を通してタブ２０の外側にガイドされた洗濯水を、ドラム３０の内側に再び案内するように前面板２１の外面に設けられた外側部材９０と、を含んで構成される。
【００３６】
また、図５及び図６に示すように、内側部材８０は、上部が給水穴６１を覆うように前面板２１の内面に結合され、この内側部材８０の下部には、タブ２０の外側に向けて下向きに傾斜して第１傾斜部８１が延長して形成される。また、前記前面板２１には、本体１０の前面側に向けて延長部２３が延長して形成されるが、前記タブ開口部２２はこの延長部２３の端部に設けられ、外側部材９０はこの延長部２３と一体に形成され、外側部材９０の下部には、タブ２０の内側に向けて下向きに傾斜して延長された第２傾斜部９１が形成される。
【００３７】
この給水案内部材７０により給水管４３から内側部材８０に供給された洗濯水は、第１傾斜部８１を通して外側部材９０に伝えられ、外側部材９０に伝えられた洗濯水は、第２傾斜部９１に案内され、ドラム開口部３３を通してドラム３０の内部に供給される。そして、内側部材８０から外側部材９０に伝えられる洗濯水が、内側部材８０と外側部材９０との間を通して漏れるのを防止するために、前記第１傾斜部８１は第２傾斜部９１の上側に位置するように設けることが好ましい。
【００３８】
ここで、給水案内部材７０を構成する内側部材８０と外側部材９０は、図示する本実施形態のように、内側部材８０が前面板２１の内面に結合され、外側部材９０は前面板２１と一体に形成されるように設けてもいいが、両部材が一体に作られて前面板２１に設置したり、両部材とも前面板２１に一体に作ってもよく、或いは、各部材が別途に製作された状態で前面板２１の外面と内面にそれぞれ結合してもいい。また、給水案内部材７０を通してドラム３０の内部に供給される洗濯水は、第１及び第２傾斜部８１，９１の傾斜度によってその落下地点が異なるので、第１及び第２傾斜部８１，９１の傾斜度は、ドラム３０の内部に供給される洗濯水の落下地点を考慮して設計することが好ましい。
【００３９】
また、第２傾斜部９１は、ドラム３０の内部に供給される洗濯水の一部をドア５０のドアガラス５２側に供給するように設けられるが、このために、図５に詳細に示すように、第２傾斜部９１には、洗濯水がドアガラス５２に給水されるように先端がタブ２０の内側に短く延長された第１案内部９２と、洗濯水がドアガラス５２を通ってドアガラス５２内側のドラム３０内に給水されるように先端がタブ２０の内側に第１案内部９２よりも長く延長された第２案内部９３と、が備えられる。このように第１案内部９２及び第２案内部９３を備える第２傾斜部９１の構成によれば、給水案内部材７０を通してドラム３０の内部に給水される洗濯水の一部が、ドラム３０内部に直接供給されるようにして、洗濯物がより迅速に洗濯水に濡れるようにし、同時に、残る一部の洗濯水はドアガラス５２に付くバブルのような異物などを除去するようにドアガラス５２側に給水されるようにして、使用者が外部からドアガラス５２を通してドラム３０内の洗濯物の洗濯状態を容易に確認することが可能になる。
【００４０】
このとき、第２傾斜部９１に設けられる第１及び第２案内部９２、９３はそれぞれ複数個であり、該第１案内部９２と第２案内部９３は交互に配置される。つまり、第１案内部９２は隣接する第２案内部９３の間に配置され、第２案内部９３は隣接する第１案内部９２の間に配置される。こうすると、各案内部９２，９３が第２傾斜部９１に均一に配置され、ドラム３０の内部に給水される洗濯水やドアガラス５２に給水される洗濯水の給水幅がより広く形成されるようになる。また、第２傾斜部９１に案内されて給水される洗濯水の給水方向が一定に保持されつつドラム３０内部やドアガラス５２側に給水されるように、第１及び第２案内部９２、９３には谷部９４が形成され、隣接する案内部９２，９３の間には山部９５が形成される。
【００４１】
また、本体開口部１１とタブ開口部２２間を連結するとともに、ドア５０が閉じた状態にタブー２０の内部を密閉させる蛇腹管５３により、給水案内装置６０の給水穴６１が包まれたり、給水案内部材７０の外側部材９０が蛇腹管５３の外部に露出する場合には、給水管４３の連結がし難くなったり、ドラム３０内部への給水が難しくなるので、給水穴６１は、蛇腹管５３の外部に設け、外側部材９０は蛇腹管５３の内部に設けることが好ましい。
【００４２】
以上に説明した如く、本発明に従うドラム洗濯機では、給水穴６１と給水案内部材７０とを含む給水案内装置６０を通して給水管４３からタブ２０に供給される洗濯水が、直接、ドラム３０の内部に給水されて、洗濯物が洗濯水により迅速に濡れるようにすることによって、洗濯物の洗濯時間を縮めることができる。また、前記給水案内部材７０の外側部材９０は、第２傾斜部９１に設けられた前記第１案内部９２を通してドラム３０の内部に給水される洗濯水の一部をドア５０のドアガラス５２側にも供給するようになっているので、ドアガラス５２につくバブルなどの異物を効率よく除去することができる。
【００４３】
次に、上記のように構成された本発明に従う洗濯機の動作、作用及び効果について詳細に説明する。
【００４４】
まず、ドラム３０の内部に洗濯物を入れた状態でドア５０を閉じ、給水バルブ４１を開くと、連結ホース４４を通して洗剤容器４２に送られた洗濯水は、洗剤と共に給水管４３に伝えられ、この洗濯水はタブ２０の前面板２１に形成された給水穴６１を通してタブ２０の内部に供給される。続いて、このようにタブ２０の内部に供給された洗濯水は、給水案内部材７０の内側部材８０に形成された第１傾斜部８１に案内され、タブ２０外側へ移動して給水案内部材７０の外側部材９０に伝えられ、外側部材９０に伝えられた洗濯水は、再び外側部材９０の第２傾斜部９１によりタブ２０の内側に案内される。このときに、短い長さで延長された第２傾斜部９１の第１案内部９２によりガイドされる洗濯水は、洗濯のときにドアガラス５２につくバブルなどの異物を落すようにドアガラス５２に給水され、第１案内部９２よりも長く延長された第２案内部９３を通して案内される洗濯水は、ドラム３０内部の洗濯物を直接濡らすようにドアガラス５２を通ってドラム３０の内部に深く給水される。この状態でドラム３０が回転すると、洗濯物と洗濯水がドラム３０の底部から上部に持ち上げて落下する動作が繰り返し行われつつ洗濯がなされ、このとき、洗濯水の給水と同時に給水案内装置６０を通して供給される洗濯水に、直接、洗濯物が濡れるため、より短時間で洗濯がなされるようになる。
【図面の簡単な説明】
【００４５】
【図１】本発明に従うドラム洗濯機の全体的な構造を示す斜視図である。
【図２】図１に示したドラム洗濯機の全体的な構造を示す断面図である。
【図３】図１に示したドラム洗濯機のタブの構造を示す、後方から見た斜視図である。
【図４】図１に示したドラム洗濯機のタブの構造を示す、前方から見た斜視図である。
【図５】図１に示したドラム洗濯機の給水案内装置の構造を示す、後方から見た斜視図である。
【図６】図１に示したドラム洗濯機の給水案内装置の構造を示す、前方から見た斜視図である。
【符号の説明】
【００４６】
１０  本体
１１  本体開口部
２０  タブ
２１  前面板、緩衝装置
２２  タブ開口部
２３  延長部
３０  ドラム
３１  駆動モーター
３２  穴
３３  ドラム開口部
４１  給水バルブ
４２  洗剤容器
４３  給水管
４４  連結ホース
４５  排水管
４６  排水モーター
５０  ドア
５１  ドアフレーム
５２  ドアガラス
５３  蛇腹管
６０  給水案内装置
６１  給水穴
７０  給水案内部材
８０  内側部材
８１  第１傾斜部
９０  外側部材
９１  第２傾斜部
９２  第１案内部
９３  第２案内部
９４  谷部
９５  山部
【図１】
2005144152.tif 000003
【図２】
2005144152.tif 000004
【図３】
2005144152.tif 000005
【図４】
2005144152.tif 000006
【図５】
2005144152.tif 000007
【図６】
2005144152.tif 000008